(57)【要約】【課題】拡大操作や縮小操作を簡素化し、副次的な目的は、装置を回さなくても目的地までの経路を把握することを容易とした折り畳み式地図表示装置を提供する。【解決手段】地図情報を記憶する記憶手段と、表示用パネル群を折り畳んだときには操作部を有する表示用パネルのみ地図情報に基づく地図を表示し、表示用パネル群を広げたときには地図を拡大表示するように制御する制御手段と、を備えた。【選択図】図１
2011209576.tif 000002
【特許請求の範囲】
【請求項１】
表示用パネルを折り畳み自在に構成した折り畳み式地図表示装置であって、
前記表示用パネルに地図を表示し、表示用パネルを折り畳んだときに前記表示用パネルのうち操作部を有する面にのみ前記地図を縮小してすべて表示する制御手段と、を備えたことを特徴とする折り畳み式地図表示装置。
【請求項２】
表示用パネルを折り畳み自在に構成した折り畳み式地図表示装置であって、
前記表示用パネルに地図を表示し、前記地図の一部をユーザーが指定したあと、前記表示用パネルを折り畳んだときに前記表示用パネルのうち前記操作部を有する面に、前記一部を含みかつ表示用パネルを折り畳む前の縮尺と同じ縮尺で地図を表示する制御手段とを、備えることを特徴とする折り畳み式地図表示装置。
【請求項３】
前記制御手段は、前記表示用パネルに回転のジェスチャー入力が行われると、前記地図を所望の角度に回転表示するように制御することを特徴とする請求項１または２記載の折り畳み式地図表示装置。
【請求項４】
前記制御手段は、前記前記表示用パネルに前記ユーザーの移動履歴を表示するように制御することを特徴とする請求項１から３のいずれか一項記載の折り畳み式地図表示装置。
【請求項５】
前記地図情報を、ネットワークを介して前記記憶手段に記憶させる通信手段を備えたことを特徴とする請求項１から３のいずれか一項記載の折り畳み式地図表示装置。
【発明の詳細な説明】
【技術分野】
【０００１】
本発明は、折り畳み式地図表示装置に関する。
【背景技術】
【０００２】
折り畳み式の情報端末が提案されている（例えば、特許文献１参照。）。
特許文献１に記載の発明は、「折り畳み式情報表示装置」に関するものであり、具体的には「少なくとも１枚の両面表示可能な情報表示用パネルと、少なくとも片面表示可能な１枚の情報表示用パネルとを含む複数枚の情報表示用パネルをヒンジで連結し、折り畳んで重ねて構成した」ものである。
【０００３】
特許文献１に記載の発明によれば、折り畳んで使用することにより１面表示を実現することができ、広げて使用することにより複数面表示を実現することができる。したがって、１面表示および複数面表示を実現し得る折り畳み式情報表示装置を提供することができるとしている。
【先行技術文献】
【特許文献】
【０００４】
【特許文献１】特開２００９−１２２１８９号公報
【発明の概要】
【発明が解決しようとする課題】
【０００５】
ところで、地図を片手に観光地に旅行に行ったり、得意先に訪問したりする場合、現在位置から見て目的地がどの方角にあり、どの位の距離があるのかを確認した後、目的地までどのような経路で行くのかを知るため、地図を回してみたり、地図が折り畳み式の場合には広げたりすることがある。
【０００６】
特許文献１には地図として利用した場合に２倍拡大表示や、４倍拡大表示することが開示されている。
【０００７】
しかしながら、特許文献１の情報表示用パネルは、折り畳んだときに、どの面が表示面となるか不明である。したがって、折り畳んだあとにどの面を表示面とするかユーザーが指定するか、複数面に表示を行わなければならない。したがって、ユーザーに煩雑な操作を要求する、又は情報表示用パネルの不要な面に表示を行い、バッテリーを余計に消耗する。
【０００８】
また、地図を広げたり、畳んだりするたびに拡大縮小操作を行うのは面倒である。また、ユーザーの中には町中で地図や情報表示装置を回す様子を他人に見られるのを好まないユーザーがいる。
このため、操作が簡便で無駄にバッテリーを消耗しない畳み式地図表示装置が望まれる。拡大操作や縮小操作を簡素化し、装置を回さなくても目的地までの経路を把握することが容易な折り畳み式地図表示装置が望まれる。
【０００９】
そこで、本発明の主な目的は、操作が簡便で無駄にバッテリーを消耗しない畳み式地図表示装置を提供することにある。また、拡大操作や縮小操作を簡素化し、副次的な目的は、装置を回さなくても目的地までの経路を把握することを容易とした折り畳み式地図表示装置を提供することにある。
また、折り畳み可能な表示装置を提供することにより、広いスペースで地図を閲覧するときには大画面で見やすく、街中で地図を閲覧するときには邪魔にならずに人目を気にせず地図を閲覧することを可能にする。
【課題を解決するための手段】
【００１０】
上記課題を解決するため、請求項１記載の発明は、表示用パネルを折り畳み自在に構成した折り畳み式地図表示装置であって、前記表示用パネルに地図を表示し、表示用パネルを折り畳んだときに前記表示用パネルのうち操作部を有する面にのみ前記地図を縮小してすべて表示する制御手段と、を備えたことを特徴とする。
【００１１】
請求項２記載の発明は、表示用パネルを折り畳み自在に構成した折り畳み式地図表示装置であって、前記表示用パネルに地図を表示し、前記地図の一部をユーザーが指定したあと、前記表示用パネルを折り畳んだときに前記表示用パネルのうち前記操作部を有する面に、前記一部を含みかつ表示用パネルを折り畳む前の縮尺と同じ縮尺で地図を表示する制御手段とを、備えることを特徴とする。
【００１２】
請求項３記載の発明は、請求項１または２記載の発明において、前記制御手段は、前記表示用パネルに回転のジェスチャー入力が行われると、前記地図を所望の角度に回転表示するように制御することを特徴とする。
【００１３】
請求項４記載の発明は、請求項１から３のいずれか一項記載の発明において、前記制御手段は、前記前記表示用パネルに前記ユーザーの移動履歴を表示するように制御することを特徴とする。
【００１４】
請求項５記載の発明は、請求項１から３のいずれか一項記載の発明において、前記地図情報を、ネットワークを介して前記記憶手段に記憶させる通信手段を備えたことを特徴とする。
【発明の効果】
【００１５】
本発明によれば、拡大操作や縮小操作を簡素化し、装置を回さなくても目的地までの経路を把握することを容易とした折り畳み式地図表示装置の提供を実現することができる。
【図面の簡単な説明】
【００１６】
【図１】本発明に係る折り畳み式地図表示装置の一実施の形態を示す平面外観図である。
【図２】図１に示した折り畳み式地図表示装置１０００のブロック図の一例である。
【図３】（ａ）〜（ｄ）は、折り畳み式地図表示装置を四つ折り状態から展開する場合の説明図である。
【図４】（ａ）〜（ｄ）は、折り畳み式地図表示装置を展開状態から四つ折り状態にする場合の説明図である。
【図５】（ａ）〜（ｄ）は、折り畳み式地図表示装置を完全展開状態から四つ折り状態に折り畳む場合の説明図である。
【図６】図１に示した折り畳み式地図表示装置を作動させてから完全展開状態にするまでのフローチャートの一例である。
【図７】図１に示した折り畳み式地図表示装置を完全展開状態から四つ折り状態にして停止するまでのフローチャートの一例である。
【図８】ユーザーが京都の三十三間堂の近傍で折り畳み式地図表示装置１０００を水平にもって北に向いた状態の表示画面の一例である。
【図９】ユーザーが地図を右回転させたときの表示画面の一例である。
【図１０】ユーザーが地図を右回転させたときの表示画面の一例である。
【図１１】本発明に係る折り畳み式地図表示装置の他の動作についての説明図である。
【図１２】本発明に係る折り畳み式地図表示装置の他の動作についての説明図である。
【図１３】本発明に係る折り畳み式地図表示装置の他の動作についての説明図である。
【図１４】本発明に係る折り畳み式地図表示装置の他の動作についての説明図である。
【図１５】本発明に係る折り畳み式地図表示装置の他の動作についての説明図である。
【発明を実施するための形態】
【００１７】
＜概  説＞
次に本発明に係る折り畳み式地図表示装置の実施の形態について述べる。
図１は、本発明に係る折り畳み式地図表示装置の一実施の形態を示す平面外観図である。
本実施の形態では折り畳み式地図表示装置１０００が４つ折り式の場合で説明する。同図に示す折り畳み式地図表示装置１０００は折り畳んだ状態（例えばＡ４サイズ）を示している。
【００１８】
折り畳み式地図表示装置１０００は、表示用パネル１００−１のタッチパネル１０１−１に地図（図では京都駅周辺が示されているが限定されるものではない。）が南北逆の状態を表示している。
表示用パネル１００−１の中心部にはユーザーの現在の位置がシンボル３００として表示され、隅には縮尺及び磁石が表示されている。磁石は、鋭角三角形が地図上の北を示し、星印が実際の北を示す（図では地図上の北が下方向となっており、実際の北が上方向となっている。これとは逆に、鋭角三角形が実際の北を示し、星印が地図上の北を示すように設定してもよい。）。これはユーザーが三十三間堂の近傍で北を向いて折り畳み式地図表示装置１０００を水平に持っている状態を示している。表示用パネル１００−１には凡例が表示されていても良い。表示用パネル１００−１の右側及び下側には操作部２０７が設けられており、上側及び左側にはヒンジ部１５１〜１５４が設けられている。
【００１９】
操作部２０７には、左下から右上に向かって、バックライトボタン１０４、左スクロールボタン１０５、下スクロールボタン１０６、上スクロールボタン１０７、右スクロールボタン１０８、電源ボタン（図では「０／１」と表記）１０９、メモリーカード挿入口１１２、及びタッチペン（以下、ペンと表記）１１３が設けられている。
【００２０】
バックライトボタン１０４は、表示用パネル１００−１及びタッチパネル１００−１を装置内から照明するためのボタンである。
【００２１】
電源ボタン１０９は、折り畳み式地図表示装置１０００のオンオフを制御するためのボタンである。
左スクロールボタン１０５は、表示用パネル１００−１に表示された地図を左方向にスクロール表示させるためのボタンであり、下スクロールボタン１０６は、表示用パネル１００−１に表示された地図を下方向にスクロール表示させるためのボタンである。上スクロールボタン１０７は、表示用パネル１００−１に表示された地図を上方向にスクロール表示させるためのボタンであり、右スクロールボタン１０８は、表示用パネル１００−１に表示された地図を右方向にスクロール表示させるためのボタンである。また、上スクロールボタンに地図を拡大表示するための機能を、下スクロールボタンに地図を縮小表示する機能を割り当てることもできる。
【００２２】
表示用パネル１００−１に表示された地図を回転表示する場合には、地名、鉄道路線名、道路名、施設名、駅名等の名称はユーザーに見やすいように表示用パネル１００−１に平行もしくは垂直に表示される。地図記号は、表示されている地図が元の状態の状態とは異なっている（南北逆の状態である）ことを認識させるため元のままとしているが、名称と同期していてもよい。
【００２３】
メモリーカード挿入口１１２は、後述するメモリーカードを挿入するための挿入口である。
【００２４】
＜構  成＞
図２は、図１に示した折り畳み式地図表示装置１０００のブロック図の一例である。
ＣＰＵ(Central Processing Unit)２０１、ＲＯＭ(Read Only Memory)２０２、ＲＡＭ(Random Access Memory)２０３、バックライト部２０４、Ｉ／Ｏ(Input Output)２０５、メモリーカード２０６、操作部２０７、センサ群２０８、ＧＰＳ部２０９、表示用パネル群１００、タッチパネル１０１群がバスライン２１１に接続されている。バスライン２１１には、外部（例えばネットワーク）から地図データ、観光情報、店舗情報等のデータを受信する通信部２１０がオプションで接続されていてもよい。
【００２５】
ＣＰＵ２０１は、折り畳み式地図表示装置１０００を統括制御する回路であり、例えばマイクロプロセッサが用いられる。
【００２６】
ＲＯＭ２０２は、折り畳み式地図表示装置１０００の制御プログラムを記憶する回路であり、例えばマスクＲＯＭが用いられる。
【００２７】
ＲＡＭ２０３は、外部からのデータや、後述するペン１１３入力により作成されたデータを一時的に記憶する回路であり、例えばフラッシュメモリーが用いられる。
【００２８】
バックライト部２０４は、前述したように表示用パネル１００群及びタッチパネル１０１群を装置側から照明するものであり、例えばＬＥＤ(Light Emitting Diode)が用いられるが、ＥＬ(Electronic Luminescence)素子を用いても良い。
【００２９】
Ｉ／Ｏ２０５は、外部の回路（例えば、ＨＤＤ(Hard Disk Drive)）に接続するためのポートであり、例えばＵＳＢ(Universal Serial Bus line)ポートが用いられる。
【００３０】
メモリーカード２０６は、ＲＡＭ２０２に記憶したデータを保存したり、ＲＡＭ２０２にデータを記憶させたりするためのものであり、図示しないコネクタを介してバスライン２１１に着脱自在に接続される。
【００３１】
操作部２０７は、前述したバックライトボタン１０４、左スクロールボタン１０５、下スクロールボタン１０６、上スクロールボタン１０７、右スクロールボタン１０８、電源ボタン１０９、及びペン１１３を有する。
【００３２】
センサ群２０８は、表示用パネル群１００及びタッチパネル群１０１に設けられ、折り畳み式地図表示装置１０００が四つ折り状態か横二つ折り状態か、縦二つ折り状態か、完全展開状態かを判別するためのセンサ群であり、例えば、複数のマイクロスイッチが展開状態を検知するように構成されるが、光センサを用いて展開状態を検知するように構成しても良い。
【００３３】
ＧＰＳ部２０９は、人工衛星を用いて現在位置を検知するための公知の回路である。
【００３４】
表示用パネル群１００は、四つの表示用パネル１００−１〜１００−４からなり、例えば液晶表示素子が用いられるが、プラズマディスプレイを用いてもよい。表示用パネル１００は、ＣＰＵ２０１からの指令により四つ折りの場合には、操作部２０４側の表示用パネル１００−１のみ作動し、二つ折りの場合には表示用パネル１００−１及び表示用パネル１００−１に連接する表示用パネル１００−２もしくは表示用パネル１００−３のみ作動し、全開（四つの表示用パネル１００−１〜１００−４を広げた状態）の場合には全表示用パネル１００−１〜１００−４を表示させるようになっている。
【００３５】
タッチパネル群１０１は、四つのタッチパネル１０１−１〜１０１−４からなり、例えば、抵抗膜式タッチパネルが用いられる（赤外線式、超音波表面弾性波式、音響波照合式、赤外線イメージセンサ式、プロジェクテッド・キャパシティブ式、サーフェイス・キャパシティブ式でもよい。）。各タッチパネル１０１−１〜１０１−４は、それぞれ表示用パネル１００−１〜１００−４の前面に設けられている。
タッチパネル群１０１は、タッチ入力の他、ドラッグやドロップを含むジェスチャー入力にも対応できるようになっている。
【００３６】
通信部２１０は、例えばネットワークに接続するためのものであり、モデムもしくは無線ＬＡＮ(Local Area Network)カードが挙げられる。
【００３７】
図３（ａ）〜（ｄ）は、折り畳み式地図表示装置を四つ折り状態から展開する場合の説明図である。これとは逆に図４（ａ）〜（ｄ）は、折り畳み式地図表示装置を展開状態から四つ折り状態にする場合の説明図である。
図３（ａ）、図４（ｄ）は４つ折り状態を示し、図３（ｂ）、図４（ｃ）は縦二つ折り状態を示し、図３（ｃ）、図４（ｂ）は横二つ折り状態を示し、図３（ｄ）、図４（ａ）は完全展開状態をそれぞれ示している。
折り畳み式地図表示装置１０００は、四つ折り状態から横二つ折り状態、縦二つ折り状態、もしくは完全展開状態に広げた場合には四つ折り状態で表示した地図を４倍に拡大した状態を表示するように設定されている。
例えば、図３（ａ）では、関東地方全域（例えば、１６０万分の１とする）を表示し、図３（ｂ）の縦二つ折り状態では図３（ａ）を四倍に拡大したときの関東地方（４０万分の１）の一部である東海地方を表示用パネル１００−２に表示すると共に房総半島を表示用パネル１００−１に表示する。
図３（ｂ）の縦二つ折り状態では、図３（ａ）に示した地図を四倍に拡大したときの関東地方の一部である伊豆半島周辺を表示用パネル１００−２に表示すると共に、房総半島周辺を表示用パネル１００−１に表示する。
図３（ｃ）の横二つ折り状態では、図３（ａ）に示した地図を四倍に拡大したときの関東地方の一部である房総半島周辺を表示用パネル１００−１に表示すると共に、茨城県周辺を表示用パネル１０１−３に表示する。
図３（ｄ）の完全展開状態では、図３（ａ）に示した地図を４倍に拡大したときの関東地方を表示用パネル１０１−１〜１０１−４に表示する。
【００３８】
図５（ａ）〜（ｄ）は、折り畳み式地図表示装置を完全展開状態から四つ折り状態に折り畳む場合の説明図である。
図５（ａ）は完全展開状態を示し、図５（ｂ）は横二つ折り状態を示し、図５（ｃ）は縦二つ折り状態を示し、図５（ｄ）は四つ折り状態をそれぞれ示している。
折り畳み式地図表示装置１０００は、折り畳むことにより自動的に完全展開状態で表示した地図のサイズを４分の１のサイズに縮小表示する（図３（ａ）参照）が、図５（ａ）に示すように、例えばユーザーが手１２０で表示用パネル１００−１の前面に設けられたタッチパネル１０１−１をタッチすると、折り畳み式地図表示装置１０００を折り畳んでもタッチされた地図（この場合房総半島）のサイズを変えずにそのまま表示用パネル１００−１に表示するようにしても良い。
【００３９】
＜動  作  １＞
図６は、図１に示した折り畳み式地図表示装置を作動させてから完全展開状態にするまでのフローチャートの一例を示し、図７は、図１に示した折り畳み式地図表示装置を完全展開状態から四つ折り状態にして停止するまでのフローチャートの一例を示す。
動作の主体はＣＰＵ２０１（図２参照）である。
図６において、ＣＰＵ２０１は、折り畳み式地図表示装置１０００の電源ボタン１０９（いずれも図１参照）がオンされると（ステップＳ１）、センサ群２０８からの信号に基づいて、四つ折り状態であるか否かを判断する（ステップＳ２）。
【００４０】
ＣＰＵ２０１は、折り畳み式地図表示装置１０００が四つ折り状態であると判断した場合（ステップＳ２／Ｙｅｓ）、操作部２０７（図１参照）を有する表示用パネル１０１−１に所定縮尺（例えば１６０万分の１とするが限定されるものではない。）の地図（図２、３では関東地方であるが限定されない。）を表示し（ステップＳ３）、ステップＳ４へ進む。
【００４１】
ＣＰＵ２０１は、センサ群２０８からの信号に基づいて、折り畳み式地図表示装置１０００が四つ折り状態でないと判断した場合（ステップＳ２／Ｎｏ）、折り畳み式地図表示装置１０００が縦二つ折り状態であるか否かを判断する（ステップＳ５）。
ＣＰＵ２０１は、センサ群２０８からの信号に基づいて、ステップＳ４で折り畳み式地図表示装置１０００が広げられたか否かを判断し、折り畳み式地図表示装置１０００が広げられたと判断した場合（ステップＳ４／Ｙｅｓ）、ステップＳ５に進み、折り畳み式地図表示装置１０００が広げられていないと判断した場合（ステップＳ４／Ｎｏ）、ステップＳ３に戻る。
【００４２】
ＣＰＵ２０１は、センサ群２０８からの信号に基づいて、折り畳み式地図表示装置１０００が縦二つ折り状態であると判断した場合（ステップＳ５／Ｙｅｓ）、操作部２０７を有する表示用パネル１０１−１及び表示用パネル１０１−１に隣接する表示用パネル１０１−２に所定縮尺の４倍のサイズ（４０万分の１）の地図を表示することにより、横長表示し、ステップＳ７に進む。
【００４３】
ＣＰＵ２０１は、センサ群２０８からの信号に基づいて、折り畳み式地図表示装置１０００が縦二つ折り状態でないと判断した場合（ステップＳ５／Ｎｏ）、折り畳み式地図表示装置１０００が横二つ折り状態であるか否かを判断する（ステップＳ９）。
ＣＰＵ２０１は、センサ群２０８からの信号に基づいて、折り畳み式地図表示装置１０００が横二つ折り状態であると判断した場合（ステップＳ９／Ｙｅｓ）、操作部２０７を有する表示用パネル１０１−１及び表示用パネル１０１−１に隣接する表示用パネル１０１−３に所定縮尺の４倍のサイズ（４０万分の１）の地図を表示することにより、縦長表示し、ステップＳ１１に進む。
【００４４】
ＣＰＵ２０１は、センサ群２０８からの信号に基づいて、横二つ折り状態ではないと判断した場合（ステップＳ９／Ｎｏ）、折り畳み式地図表示装置１０００が完全展開状態であると判断して四つの表示用パネル１００−１〜１００−４に所定縮尺倍率の４倍のサイズ（４０万分の１）の地図（図３（ｄ）参照）を表示する（ステップＳ８）。
【００４５】
ＣＰＵ２０１は、センサ群２０８からの信号に基づいて、広げられたと判断した場合（ステップＳ７／Ｙｅｓ、ステップＳ１１／Ｙｅｓ）はステップＳ８に進み、広げられていないと判断した場合（ステップＳ７／Ｎｏ、ステップＳ１１／Ｎｏ）、ステップＳ２に戻る。
【００４６】
ＣＰＵ２０１は、何れかの表示用パネル１００−１〜１００−４がユーザーによりタッチされたか否かを判断し（ステップＳ１２）、何れかの表示用パネル１００−１〜１００−４がユーザーによりタッチされたと判断した場合（ステップＳ１２／Ｙｅｓ）、タッチされた表示用パネルに表示された地図を、操作部２０７を有する表示用パネル１００−１にそのままのサイズで表示し（ステップＳ１３）、ステップＳ１４に進む。
【００４７】
図６＃７において、ＣＰＵ２０１は、何れかの表示用パネル１００−１〜１００−４がユーザーによりタッチされていないと判断した場合（ステップＳ１２／Ｎｏ）、折り畳み式地図表示装置１０００が折りたたまれたか否かを判断する（ステップＳ１４）。
【００４８】
ＣＰＵ２０１は、センサ群２０８からの信号に基づいて、折りたたまれていないと判断した場合（ステップＳ１４／Ｎｏ）、ステップＳ８に戻り（図６参照）、折りたたまれたと判断した場合（ステップＳ１４／Ｙｅｓ）、折り畳み式地図表示装置１０００が縦二つ折り状態か否かを判断する（ステップＳ１５）。
【００４９】
ＣＰＵ２０１は、折り畳み式地図表示装置１０００が縦二つ折り状態であると判断した場合（ステップＳ１５／Ｙｅｓ）、操作部２０７を有する表示用パネル１００−１、及び表示用パネル１００−１に隣接する表示用パネル１００−２に所定縮尺の４分の１倍のサイズ（４０万分の１）の地図を横長表示し（ステップＳ１６）、ステップＳ１７に進む。
【００５０】
ＣＰＵ２０１は、センサ群２０８からの信号に基づいて、折り畳み式地図表示装置１０００が縦二つ折り状態でないと判断した場合（ステップＳ１５／Ｎｏ）、折り畳み式地図表示装置１０００が横二つ折りか否かを判断する（ステップＳ１９）。
ＣＰＵ２０１は、センサ群２０８からの信号に基づいて、折り畳み式地図表示装置１０００が横二つ折り状態でないと判断した場合（ステップＳ１９／Ｎｏ）、操作部２０７を有する表示用パネル１００−１に所定縮尺（１６０万分の１）の地図を表示する（ステップＳ１８）。
【００５１】
ＣＰＵ２０１は、センサ群２０８からの信号に基づいて、折り畳み式地図表示装置１０００が折りたたまれたか否かを判断し（ステップＳ１７、Ｓ２１）、折り畳み式地図表示装置１０００が折りたたまれたと判断した場合（ステップＳ１７／Ｙｅｓ、ステップＳ２１／Ｙｅｓ）、ステップＳ１８に進む。
【００５２】
ＣＰＵ２０１は、センサ群２０８からの信号に基づいて、折り畳み式地図表示装置１０００が折りたたまれていないと判断した場合（ステップＳ１７／Ｎｏ、ステップＳ２１／Ｎｏ）、ステップＳ１５に戻る。
【００５３】
ＣＰＵ２０１は、電源ボタン１０９（図１参照）がオフされると、地図の表示を停止して終了する。
【００５４】
以上において、本折り畳み式地図表示装置によれば、拡大操作や縮小操作を簡素化することができる。
【００５５】
＜動  作  ２＞
図を参照して、本発明に係る折り畳み式地図表示装置の他の動作について説明する。
図８は、ユーザーが京都の三十三間堂の近傍で折り畳み式地図表示装置１０００を水平にもって北に向いた状態の表示画面の一例である。
図９は、ユーザーが京都の三十三間堂の近傍で折り畳み式地図表示装置１０００に対してジェスチャー入力を行い、表示を回転させたときの表示画面の一例である。ジェスチャーとは、表示用パネル１００−１に、タッチペン１１３で矢印を記入する方法などが考えられる。
図１０は、ユーザーが京都の三十三間堂の近傍で折り畳み式地図表示装置１０００は、同様の方法で表示画像を１２５度回転させたときの表示画面の一例である。
このように、本折り畳み式地図表示装置１００は、装置を回すことなく、表示用パネルの地図の画像だけを回転させることができる。
【００５６】
＜動  作  ３＞
図を参照して、本発明に係る折り畳み式地図表示装置のさらに他の動作について説明する。
図１１〜１５は、本発明に係る折り畳み式地図表示装置の他の動作についての説明図である。
図１１に示すように、例えば表示用パネル１００−１に表示された清水寺の位置をペン１１３でタッチすると表示用パネル１００−１に「メモ書きできます」の吹き出しが表示される。例えば図１２のようにユーザーがペン１１３で吹き出しに「２０１０年３月２１日見学」と書くと、その吹き出しに「データを保存しますか。→Ｙｅｓ、Ｎｏ」が表示され、ユーザーがペン１１３で「Ｙｅｓ」にタッチすると、データはＲＡＭ２０３に保存され、その吹き出しに「データを保存しました。終了しますか。→Ｙｅｓ、Ｎｏ」が表示され、ユーザーがペン１１３で「Ｙｅｓ」をタッチすると終了して図１１に示した画像に戻り、ユーザーがペン１１３で「Ｎｏ」をタッチすると、前述のメモ書きに追記することができるようになっている。
【００５７】
また、メモ書きしたデータは、メモリーカード挿入口１１２に挿入されたメモリーカード２０６に記録できるようになっている。
【００５８】
以上において、本折り畳み式地図表示装置によれば、装置を回さなくても目的地までの経路を把握することが容易となる。また、折り畳み可能な表示装置を提供することにより、広いスペースで地図を閲覧するときには大画面で見やすく、街中で地図を閲覧するときには邪魔にならずに人目を気にせず地図を閲覧することを可能にする。
【００５９】
＜プログラム＞
以上で説明した本発明にかかる折り畳み式地図表示装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明を実現する場合の説明を以下で行う。
【００６０】
例えば、
複数の表示用パネルを折り畳み自在に連結した折り畳み式地図表示装置のコンピュータに、
記憶手段が地図情報を記憶する手順、
制御手段が、表示用パネル群を折り畳んだときには操作部を有する表示用パネルのみ地図情報に基づく地図を表示し、表示用パネル群を広げたときには地図を拡大表示するように制御する手順、を実行させるプログラムが挙げられる。
【００６１】
これにより、プログラムが実行可能なコンピュータ環境さえあれば、どこにおいても本発明にかかる折り畳み式地図表示装置を実現することができる。
【００６２】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリー、ＲＡＭ、ＲＯＭ、ＦｅＲＡＭ（強誘電体メモリ）等の半導体メモリやＨＤＤ（Hard Disc Drive）が挙げられる。
【００６３】
なお、上述した実施の形態は、本発明の好適な実施の形態の一例を示すものであり、本発明はそれに限定されることなく、その要旨を逸脱しない範囲内において、種々変形実施が可能である。例えば、現在位置を中心とする同心円を距離と共に表示したりしてもよい。
【００６４】
また、上述した実施の形態では、拡大、縮小、回転、スクロール等をボタンで操作する場合で説明したが、本発明はこれに限定されるものではなく、ジェスチャー入力で操作するように構成してもよい。
【００６５】
また、上述した実施の形態では、四つ折り状態に可能な場合で説明したが、本発明はこれに限定されるものではなく、二つ折り、六つ折り、八つ折り、蛇腹、もしくは、予め複数の表示用パネルを積層しておき、いわば引き戸のように横方向にスライドできるように構成してもよい。
また、上述した実施の形態では複数のパネル群をヒンジで連結して表示用パネルとした場合を説明したが、本発明はこれに限定されるものではない。例えば、１枚のパネルで表示用パネルを構成してもよい。
【００６６】
また、上述した実施の形態では、折り畳み式地図表示装置のサイズがＡ４サイズの場合で説明したが、限定されるものではなく、Ａ６、Ａ５サイズであってもＢ４サイズであってもよい。
【００６７】
また、表示用パネルにユーザーの移動経路を表示するようにしてもよい。
【符号の説明】
【００６８】
１００    表示用パネル群
１００−１〜１００−４    表示用パネル
１０１    タッチパネル群
１０１−１〜１０１−４    タッチパネル
１０４    バックライトボタン
１０５    左スクロールボタン
１０６    下スクロールボタン
１０７    上スクロールボタン
１０８    右スクロールボタン
１０９    電源ボタン
１１０    左回転ボタン
１１１    右回転ボタン
１１２    メモリーカード挿入口
１１３    ペン
１５１〜１５４    ヒンジ部
２０１    ＣＰＵ
２０２    ＲＯＭ
２０３    ＲＡＭ
２０４    バックライト部
２０５    Ｉ／Ｏ
２０６    メモリーカード
２０７    操作部
２０８    センサ群
２０９    ＧＰＳ部
２１０    通信部
２１１    バスライン
３００    シンボル
１０００    折り畳み式地図表示装置
【図１】
2011209576.tif 000003
【図２】
2011209576.tif 000004
【図３】
2011209576.tif 000005
【図４】
2011209576.tif 000006
【図５】
2011209576.tif 000007
【図６】
2011209576.tif 000008
【図７】
2011209576.tif 000009
【図８】
2011209576.tif 000010
【図９】
2011209576.tif 000011
【図１０】
2011209576.tif 000012
【図１１】
2011209576.tif 000013
【図１２】
2011209576.tif 000014
【図１３】
2011209576.tif 000015
【図１４】
2011209576.tif 000016
【図１５】
2011209576.tif 000017